(57)【要約】【課題】経鼻手術において血液などの付着で視界不良となった経鼻硬性鏡のレンズ部を迅速かつ容易に洗浄する方法および経鼻手術の作業スペースを狭めない経鼻硬性鏡レンズ部用洗浄具を提供する。【解決手段】  遠位端と近位端を連通する内腔を有する主管状部材と、  洗浄水を供給するための内腔を有する副管状部材とを具備し、  前記主管状部材は、その管壁の外側面から内側面までを貫通する孔を有し、  主管状部材の近位端から遠位端までの内径が硬性鏡の外径に対応する大きさであり、且つ管壁内側面に開いた前記孔の口から主管状部材の遠位端までの管壁内面に溝があり、  副管状部材は、その内腔が主管状部材の管壁外側面に開いた前記孔の内腔に連通するように接続されていて、供給された洗浄水が硬性鏡の外側面を洗浄水の表面張力を利用して伝わり流れるようにすることができる、経鼻硬性鏡レンズ部用洗浄具。【選択図】図１
2016052432.tif 000002
【特許請求の範囲】
【請求項１】
遠位端にレンズ部を有する硬性鏡を該レンズ部が下になるように鼻孔に挿入し、
硬性鏡の外側面の少なくとも一部と鼻孔内壁との間に隙間を確保し、
洗浄水を硬性鏡の外側面に洗浄水の表面張力を利用して伝わせ流してレンズ部に届けることを含む、経鼻硬性鏡レンズ部の洗浄方法。
【請求項２】
洗浄水を供給するための管と、硬性鏡の近位端側の外側面に前記管の一端を固定するための固定部材とを具備し、
前記管を通して供給された洗浄水を硬性鏡の外側面を近位端側から遠位端に向かって洗浄水の表面張力を利用して伝わり流れるようにすることができる、経鼻硬性鏡レンズ部用洗浄具。
【請求項３】
遠位端と近位端を連通する内腔を有する主管状部材と、洗浄水を供給するための内腔を有する副管状部材とを具備し、
前記主管状部材は、その管壁の外側面から内側面までを貫通する孔を有し、  主管状部材の近位端から遠位端までの内径が硬性鏡の外径に対応する大きさであり、且つ管壁内側面に開いた前記孔の口から主管状部材の遠位端までの管壁内面に溝があり、
副管状部材は、その内腔が主管状部材の管壁外側面に開いた前記孔の内腔に連通するように接続されていて、副管状部材を通して供給された洗浄水が硬性鏡の外側面を洗浄水の表面張力を利用して伝わり流れるようにすることができる、経鼻硬性鏡レンズ部用洗浄具。
【請求項４】
遠位端と近位端を連通する内腔を有する主管状部材と、洗浄水を供給するための内腔を有する副管状部材とを具備し、
主管状部材は、その管壁の外側面から内側面までを貫通する孔を有し、  主管状部材の近位端から、管壁内側面に開いた前記孔の口の近位端側の縁または該縁より近位端側に近いところの深さまで、の内径が硬性鏡の外径に対応する大きさであり、且つ管壁内側面に開いた前記孔の口から主管状部材の遠位端までの間の内径が硬性鏡の外径よりも大きく、
副管状部材は、その内腔が主管状部材の管壁外側面に開いた前記孔の内腔に連通するように接続されていて、副管状部材を通して供給された洗浄水が硬性鏡の外側面を洗浄水の表面張力を利用して伝わり流れるようにすることができる、経鼻硬性鏡レンズ部用洗浄具。
【請求項５】
遠位端と近位端を連通する内腔を有する主管状部材と、洗浄水を供給するための内腔を有する副管状部材とを具備し、
前記主管状部材は、その管壁の外側面から遠位端面までを貫通する孔を有し、且つ主管状部材の近位端から遠位端までの内径が硬性鏡の外径に対応する大きさであり、
副管状部材は、その内腔が主管状部材の管壁外側面に開いた孔の内腔に連通するように接続されていて、副管状部材を通して供給された洗浄水が硬性鏡の外側面を洗浄水の表面張力を利用して伝わり流れるようにすることができる、経鼻硬性鏡レンズ部用洗浄具。
【請求項６】
洗浄水の供給量を制御する手段をさらに有する、請求項２〜５のいずれかひとつに記載の洗浄具。
【請求項７】
主管状部材は、管壁が管軸に沿って開裂可能に成っている、請求項２〜６のいずれかひとつに記載の洗浄具。
【請求項８】
主管状部材は、その断面がＣ字状を成している、請求項２〜６のいずれかひとつに記載の洗浄具。
【発明の詳細な説明】
【技術分野】
【０００１】
本発明は、経鼻硬性鏡レンズ部の洗浄方法および経鼻硬性鏡レンズ部用洗浄具に関する。より詳細に、本発明は、経鼻手術において血液などの付着で視界不良となった経鼻硬性鏡のレンズ部を迅速かつ容易に洗浄する方法および経鼻手術の作業スペースを狭めない経鼻硬性鏡レンズ部用洗浄具に関する。
【背景技術】
【０００２】
経鼻硬性鏡下での手術は、耳鼻科において標準的に行われている手法である。また、経鼻硬性鏡下での手術は、開頭手術に比べて低侵襲で術後の回復が早いので、多くの脳外科において採用されている手法でもある。例えば、下垂体手術、頭蓋底手術、副鼻腔手術などが経鼻硬性鏡下で行われている。
【０００３】
硬性鏡１６は、鼻孔に挿入可能な細い外径の光学視管１５、光学視管の遠位端に設置されたレンズ部および照明部、ならびに光学視管の近位端に設置された操作部１４とからなり、光学視管を鼻孔に差し込み、レンズ部Ｌ、光学視管１５および操作部１４を信号が通ってモニタに術野の状態を映し出すことができる医療器具である。ところが、術中に、レンズ部に、血液などが付着したり、結露したりして、視界が遮られることがある。
【０００４】
レンズ部の汚れによって視界が遮られたときは、手術を中断し、硬性鏡を抜き取り、レンズ部の清掃を行う必要がある。この硬性鏡の抜き取り、清掃および再挿入の操作は、煩雑であるために、手術のスムーズな進行を妨げる。また、出血が多い場合は、硬性鏡レンズ部を清掃する頻度が多くなり、手術の中断頻度が増えるので、手術に要する時間が長くなったり、手術の続行が困難になったりする。
【０００５】
そこで、硬性鏡の光学視管にシースを被せてシース経由で洗浄水を内視鏡遠位端に送りレンズ部を洗浄する方法が提案されている（特許文献１、２または３）。硬性鏡の外径は、通常、３〜５ｍｍ程度であるが、シースの外径は硬性鏡の外径より１〜２ｍｍ程度大きい。硬性鏡の光学視管にシースを被せると、鼻孔という狭い作業スペースがさらに狭まり、手術の難易度が上がる。また、シースは、光学視管の外径の大きい硬性鏡、光学視管の外面に突起や段差を有する硬性鏡、光学視管の遠位端部に可動部や屈曲部を有する硬性鏡などに、使用できないなどの制約がある。
【先行技術文献】
【特許文献】
【０００６】
【特許文献１】特開平７−２４６１８７号公報
【特許文献２】特開平１１−１７８７９１号公報
【特許文献３】特開２００２−１１９４６５号公報
【特許文献４】実用新案登録第３１８６１９１号公報
【発明の概要】
【発明が解決しようとする課題】
【０００７】
本発明の課題は、経鼻手術において血液などの付着で視界不良となった経鼻硬性鏡のレンズ部を迅速かつ容易に洗浄する方法および経鼻手術の作業スペースを狭めない経鼻硬性鏡レンズ部用洗浄具を提供することである。
【課題を解決するための手段】
【０００８】
本発明者らは、上記課題を解決すべく鋭意検討した結果、下記の形態を包含する本発明を完成するに至った。
【０００９】
〔１〕遠位端にレンズ部を有する硬性鏡を該レンズ部が下になるように鼻孔に挿入し、
硬性鏡の外側面の少なくとも一部と鼻孔内壁との間に隙間を確保し、
洗浄水を硬性鏡の外側面に洗浄水の表面張力を利用して伝わせ流してレンズ部に届けることを含む、経鼻硬性鏡レンズ部の洗浄方法。
【００１０】
〔２〕洗浄水を供給するための管と、硬性鏡の近位端側の外側面に前記管の一端を固定するための固定部材とを具備し、
前記管を通して供給された洗浄水を硬性鏡の外側面を近位端側から遠位端に向かって洗浄水の表面張力を利用して伝わり流れるようにすることができる、経鼻硬性鏡レンズ部用洗浄具。
【００１１】
〔３〕遠位端と近位端を連通する内腔を有する主管状部材と、洗浄水を供給するための内腔を有する副管状部材とを具備し、
前記主管状部材は、その管壁の外側面から内側面までを貫通する孔を有し、  主管状部材の近位端から遠位端までの内径が硬性鏡の外径に対応する大きさであり、且つ管壁内側面に開いた前記孔の口から主管状部材の遠位端までの管壁内面に溝があり、
副管状部材は、その内腔が主管状部材の管壁外側面に開いた前記孔の内腔に連通するように接続されていて、副管状部材を通して供給された洗浄水が硬性鏡の外側面を洗浄水の表面張力を利用して伝わり流れるようにすることができる、経鼻硬性鏡レンズ部用洗浄具。
【００１２】
〔４〕遠位端と近位端を連通する内腔を有する主管状部材と、洗浄水を供給するための内腔を有する副管状部材とを具備し、
主管状部材は、その管壁の外側面から内側面までを貫通する孔を有し、  主管状部材の近位端から、管壁内側面に開いた前記孔の口の近位端側の縁または該縁より近位端側に近いところの深さまで、の内径が硬性鏡の外径に対応する大きさであり、且つ管壁内側面に開いた前記孔の口から主管状部材の遠位端までの間の内径が硬性鏡の外径よりも大きく、
副管状部材は、その内腔が主管状部材の管壁外側面に開いた前記孔の内腔に連通するように接続されていて、副管状部材を通して供給された洗浄水が硬性鏡の外側面を洗浄水の表面張力を利用して伝わり流れるようにすることができる、経鼻硬性鏡レンズ部用洗浄具。
【００１３】
〔５〕遠位端と近位端を連通する内腔を有する主管状部材と、洗浄水を供給するための内腔を有する副管状部材とを具備し、
前記主管状部材は、その管壁の外側面から遠位端面までを貫通する孔を有し、且つ主管状部材の近位端から遠位端までの内径が硬性鏡の外径に対応する大きさであり、
副管状部材は、その内腔が主管状部材の管壁外側面に開いた孔の内腔に連通するように接続されていて、副管状部材を通して供給された洗浄水が硬性鏡の外側面を洗浄水の表面張力を利用して伝わり流れるようにすることができる、経鼻硬性鏡レンズ部用洗浄具。
【００１４】
〔６〕洗浄水の供給量を制御する手段をさらに有する、〔２〕〜〔５〕のいずれかひとつに記載の洗浄具。
〔７〕主管状部材は、管壁が管軸に沿って開裂可能に成っている、〔２〕〜〔６〕のいずれかひとつに記載の洗浄具。
〔８〕主管状部材は、その断面がＣ字状を成している、〔２〕〜〔６〕のいずれかひとつに記載の洗浄具。
【発明の効果】
【００１５】
本発明の洗浄方法によれば、経鼻手術において血液などの付着で視界不良となった経鼻硬性鏡のレンズ部を迅速かつ容易に洗浄することができる。本発明の経鼻硬性鏡レンズ部用洗浄具は、経鼻硬性鏡に取り付けても外径を大きくしないので、経鼻手術の作業スペースを狭めることがなく、且つ血液などの付着で視界不良となったときに迅速かつ容易に経鼻硬性鏡のレンズ部を洗浄することができる。
【図面の簡単な説明】
【００１６】
【図１】本発明の第二実施形態に係る洗浄具を示す斜視図である。
【図２】図１に示した洗浄具の断面図である。
【図３】図１に示した洗浄具を経鼻硬性鏡に取り付けた状態を示す図である。
【図４】本発明の第三実施形態に係る洗浄具を示す斜視図である。
【図５】図４に示した洗浄具の断面図である。
【図６】本発明の第四実施形態に係る洗浄具を示す斜視図である。
【図７】図６に示した洗浄具の断面図である。
【図８】本発明の第五実施形態に係る洗浄具の開裂状態を示す斜視図である。
【図９】本発明に係る洗浄具の使用例を示す図である。
【発明を実施するための形態】
【００１７】
〔洗浄具〕
図面を参酌しながら、本発明の実施形態に係る経鼻硬性鏡レンズ部用洗浄具を説明する。なお、この説明は、本発明のより全般的な理解に役立てる目的のために提供するものであり、本発明を以下の実施形態に制限するものではない。
【００１８】
（第一実施形態）
本発明の第一実施形態に係る経鼻硬性鏡レンズ部用洗浄具は、洗浄水供給管と、固定部材と、を具備するものである。
洗浄水供給管は、洗浄水を供給することができるものであれば特に限定されない。管としては、例えば、チューブ、ホース、パイプなどが挙げられる。輸液用チューブは、通常の医療現場において、入手容易な医療部材であるので、洗浄水供給管として、好ましく用いることができる。管の一端の洗浄水吐出口の内径は、特に限定されないが、硬性鏡の太さよりも小さいことが好ましい。
【００１９】
固定部材は、硬性鏡の近位端側の外側面、例えば光学視管１５の近位端側の外側面に前記管の一端を固定することができるものであれば、その構造は特に制限されない。例えば、ゴムバンド、粘着テープ、クリップなどが挙げられる。前記の管を固定部材で硬性鏡に前記のとおりに固定すると、洗浄水を前記管を通して供給すると、洗浄水が硬性鏡の外側面を洗浄水の表面張力を利用して伝わり流れ、レンズ部Ｌに達するようにするとができる。洗浄水が洗浄水の表面張力により硬性鏡の外側面に沿って伝わり流れるようにするために、管の一端の洗浄水吐出口が、硬性鏡１６の外側面に対して０度〜１０度程度の傾きで硬性鏡１６の遠位端の方向に開いていることが好ましい。
【００２０】
（第二実施形態）
図１は本発明の第二実施形態に係る経鼻硬性鏡レンズ部用の洗浄具２１０を示す斜視図である。図２は洗浄具２１０の断面図である。
洗浄具２１０は、主管状部材２１１と、副管状部材２１２とを具備する。
主管状部材２１１は、遠位端２１７と近位端２１４を連通する内腔を有する。主管状部材の近位端２１４から遠位端２１７までの内径が硬性鏡１６の外径に対応する大きさである。この内腔に硬性鏡１６を嵌め込み固定することができる。
前記主管状部材２１１は、その管壁の外側面から内側面までを貫通する孔２１３を有する。さらに、管壁内側面に開いた孔２１３の口から主管状部材の遠位端までの管壁内面に溝２１９がある。硬性鏡を嵌め込んだときに、硬性鏡の外側面と主管状部材の内壁面にある溝との間に隙間ができる。
【００２１】
副管状部材２１２は、洗浄水を供給するための内腔２１８を有する。副管状部材２１２は、その内腔が主管状部材２１１の管壁外側面に開いた孔２１３の内腔に連通するように接続されている。これによって、副管状部材２１２の内腔２１８から、主管状部材の管壁に設けられた貫通孔２１３を経て、硬性鏡の外側面と主管状部材の内壁面にある溝との間にできる隙間までの、通路が形成される。この通路に洗浄水を副管状部材２１２側から供給すると、洗浄水が溝２１９から吐き出される。吐き出された洗浄水は、洗浄水の表面張力によって、硬性鏡１６の外側面を伝わり流れ、硬性鏡のレンズ部Ｌに達するようにすることができる。なお、図１に示される副管状部材は直線形状であるが、Ｌ字形状などに曲がっていてもよい。
【００２２】
また、本発明の経鼻硬性鏡レンズ部用洗浄具は、主管状部材の内側面で硬性鏡の外側面に接する部分を、ゴムなどの弾性体で構成したり、フェルトやスポンジなどの緩衝材で構成したりすることができる。
【００２３】
本発明の経鼻硬性鏡レンズ部用洗浄具は、副管状部材の近位端にオスまたはメスコネクタ２２０を設けることが好ましい。これによって、それに対応するメスまたはオスコネクタ１０が取り付けられた輸液チューブを副管状部材の近位端に接続することができる。係るコネクタは特にその構造によって制限されないが、輸液チューブなどにおいて一般に使われているロックコネクタが好ましい。
【００２４】
洗浄水は、パック、バケツ、タンク、プランジャなどに貯めておき、それを、コネクタで接続された輸液チューブを通して副管状部材に供給することができる。
【００２５】
本発明の経鼻硬性鏡レンズ部用洗浄具は、洗浄水の供給量を制御する手段をさらに有することが好ましい。供給量制御手段は、洗浄水を供給するための管または副管状部材に設けることができる。
【００２６】
副管状部材までの流路に輸液チューブ１３のような柔らかい材質の管が用いられているときは、クレンメ１１にて流量を制御することができる。クレンメとしては、ローラークレンメ、ワンタッチクレンメ、スライドクレンメなどが挙げられる。チューブポンプ、プランジャーポンプなどを流量制御に用いることもできる。硬質樹脂製の管であるときは、弁、三方活栓などを用いることができる。ポンプの運転開始および停止、弁や栓の開度調整は、術者または助手が手で操作することで行うこともできるし、リモートコントローラなどによる遠隔操作にて調整することもできる。遠隔操作などによる制御手段では、操作を手以外の部位、例えば、足などで行えるようにすると、治具の持ち替えによる手術の中断がなくなるので好ましい。
【００２７】
洗浄水は、主管状部材の内側面と硬性鏡の外側面との隙間を通って供給されるので、供給側の洗浄水のヘッドを高くする必要がある。洗浄水のヘッドを高める方法としては、ポンプ、プランジャなどの加圧治具を用いた方法や、水の貯蔵されたパック１２などを、本発明に係る経鼻硬性鏡レンズ部用洗浄具の高さよりも高い位置に吊るす方法などがある（図９参照）。
【００２８】
（第三実施形態）
図４は本発明の第三実施形態に係る経鼻硬性鏡レンズ部用の洗浄具３１０を示す斜視図である。図５は洗浄具３１０の断面図である。第三実施形態の洗浄具３１０は主管状部材３１１の形状が異なる以外は第二実施形態の洗浄具２１０と同じである。
洗浄具３１０は、主管状部材３１１と、副管状部材３１２とを具備する。
主管状部材３１１は、遠位端３１７と近位端３１４を連通する内腔を有する。さらに主管状部材３１１は、その管壁の外側面から内側面までを貫通する孔３１３を有する。主管状部材の近位端３１４から、管壁内側面に開いた孔３１３の口の近位端側の縁または該縁より近位端側に近いところの深さまで、の内径が硬性鏡１６の外径に対応する大きさである。この内腔に硬性鏡１６を嵌め込み固定することができる。
さらに、管壁内側面に開いた孔３１３の口から主管状部材の遠位端３１７までの間の内径が硬性鏡１６の外径よりも大きい。硬性鏡を嵌め込んだときに、硬性鏡の外側面と主管状部材の内壁面との間に環状の隙間ができる。
【００２９】
副管状部材３１２は、洗浄水を供給するための内腔３１８を有する。副管状部材３１２は、その内腔が主管状部材の管壁外側面に開いた孔３１３の内腔に連通するように接続されている。これによって、副管状部材３１２の内腔３１８から、主管状部材の管壁に設けられた貫通孔３１３を経て、硬性鏡の外側面と主管状部材の内壁面との間にできる環状の隙間までの、通路が形成される。この通路に洗浄水を副管状部材３１２側から供給すると、洗浄水が環状の隙間から吐き出される。吐き出された洗浄水は、洗浄水の表面張力によって、硬性鏡１６の外側面を伝わり流れ、硬性鏡のレンズ部Ｌに達するようにすることができる。
【００３０】
（第四実施形態）
図６は本発明の第四実施形態に係る経鼻硬性鏡レンズ部用の洗浄具４１０を示す斜視図である。図７は洗浄具４１０の断面図である。第四実施形態の洗浄具４１０は孔４１３および主管状部材４１１の形状が異なる以外は第二実施形態の洗浄具２１０と同じである。
洗浄具４１０は、主管状部材４１１と、副管状部材４１２とを具備する。
主管状部材４１１は、遠位端４１７と近位端４１４を連通する内腔を有する。さらに主管状部材４１１は、その管壁の外側面から遠位端面までを貫通する孔４１３を有する。この孔４１３は図６のごとくＬ字状に曲がった孔であってもよいし、他の曲がり方をした孔であってもよい。主管状部材４１１は、主管状部材の近位端から遠位端までの内径が硬性鏡の外径に対応する大きさである。主管状部材４１１の内腔に硬性鏡１６を嵌め込み固定することができる。
【００３１】
副管状部材４１２は、洗浄水を供給するための内腔４１８を有するものである。副管状部材４１２は、その内腔が主管状部材の管壁外側面に開いた孔４１３の内腔に連通するように接続されている。これによって、副管状部材４１２の内腔４１８から、主管状部材の管壁に設けられた貫通孔４１３を経て、主管状部材の遠位端までの通路が形成される。この通路に洗浄水を副管状部材４１２側から供給すると、洗浄水が貫通孔４１３の遠位端開口から吐き出される。吐き出された洗浄水は、洗浄水の表面張力によって、硬性鏡１６の外側面を伝わり流れ、硬性鏡のレンズ部Ｌに達するようにすることができる。
【００３２】
（第五実施形態）
図８は本発明の第五実施形態に係る経鼻硬性鏡レンズ部用の洗浄具５１０を示す斜視図である。第五実施形態の洗浄具５１０は主管状部材の形状が異なる以外は第三実施形態の洗浄具３１０と同じである。また、洗浄具５１０は、硬性鏡に取り付けたときの状態が、第三実施形態の洗浄具３１０と同じである。すなわち、副管状部材５１２の内腔５１８から、主管状部材の管壁に設けられた貫通孔５１３を経て、硬性鏡の外側面と主管状部材の内壁面との間にできる環状の隙間までの、通路が形成される。この通路に洗浄水を副管状部材５１２側から供給すると、洗浄水が環状の隙間から吐き出される。吐き出された洗浄水は、洗浄水の表面張力によって、硬性鏡１６の外側面を伝わり流れ、硬性鏡のレンズ部Ｌに達するようにすることができる。
【００３３】
洗浄具５１０は、主管状部材の管壁が管軸に沿って開裂可能に成っている。開裂部５１９を開いて、硬性鏡を主管状部材に嵌め込むことができる。主管状部材の開裂部は主管状部材の弾性力で閉じる力が働くようにしたものが、硬性鏡を十分に固定するために好ましい。固定力をさらに高めるために開裂部５１９にバックル（図示せず）などを設けることが好ましい。嵌め込んだ硬性鏡をバックルなどで締めることによって、硬性鏡に洗浄具５１０をしかっりと固定することができる。
【００３４】
第５実施形態の洗浄具５１０では、主管状部材５１２の開裂部を締めると、硬性鏡の外側面を一回り囲むようになっているが、主管状部材は、締め付けた状態において、その断面がＣ字状を成していて、硬性鏡に取り付けたときに外側面を一回り完全に囲んでいなくともよい。
【００３５】
〔洗浄方法〕
本発明の硬性鏡の洗浄方法は、遠位端にレンズ部Ｌを有する硬性鏡１６を該レンズ部が下になるように鼻孔に挿入し、  硬性鏡の外側面の少なくとも一部と鼻孔内壁との間に隙間を確保し、  洗浄水を硬性鏡の近位端側の外側面に洗浄水の表面張力を利用して伝わせ流して遠位端のレンズ部Ｌに届けることを含むものである。鼻孔に挿入したときの硬性鏡１６の水平面に対する角度は、洗浄水が外側面を伝って流れる程度であれば特に制限されず、例えば、３０〜９０度である。本発明の洗浄方法ではシースを用いてないので、鼻孔に挿入する硬性鏡１６の太さをシースによって大きくすることがない。なお、経鼻手術においては、通常、出血、体液などを吸引するための吸引管が使用されるので、供給した洗浄水は該吸引管によって術野から除去される。
【００３６】
図３に示すように外表面を伝って流れるとき洗浄水ＷＤは、重力よって硬性鏡１６の外側面の下側に集まるが、表面張力によって、水は外側面から落ちずに、外側面を伝って流れ、硬性鏡の遠位端に達する。遠位端に達した洗浄水ＷＤは、遠位端から直ぐに落下せず、水の表面張力によって、遠位端面にあるレンズ部Ｌに回り込み、レンズ部Ｌの表面を流れる。これにより、血液などの汚れ、湿気による曇がレンズ部から除去される。
シースを用いた場合は、洗浄水をレンズ部に向けて噴射するようにするために、水を吸引する手段を設けたり、レンズ部に向いた噴射ノズルを設けたりしなければならなかった。このことから、本発明は、従来技術に比べ顕著な効果を奏するものである。
【符号の説明】
【００３７】
２１０、３１０、４１０、５１０：経鼻硬性鏡レンズ部用洗浄具
２１１、３１１、４１１、５１１：主管状部材
２１２、３１２、３１２，５１２：副管状部材
２１３、３１３、４１３、５１３：孔
２１４、３１４、４１４、５１４：近位端
２１７、３１７，４１７、５１７：遠位端
２１８、３１８、４１８、５１８：副主管状部材の内腔
２１９：溝            ２２０：コネクタ
５１９：開裂部          １０：コネクタ
１１：クレンメ          １２：洗浄水パック
１３：輸液チューブ      １４：操作部
１５：光学視部          １６：経鼻硬性鏡
Ｌ：レンズ部            ＷＤ：洗浄水
【図１】
2016052432.tif 000003
【図２】
2016052432.tif 000004
【図３】
2016052432.tif 000005
【図４】
2016052432.tif 000006
【図５】
2016052432.tif 000007
【図６】
2016052432.tif 000008
【図７】
2016052432.tif 000009
【図８】
2016052432.tif 000010
【図９】
2016052432.tif 000011